(57)【要約】【課題】視聴者の位置に応じた画質により映像を表示する液晶表示装置を提供する。【解決手段】液晶表示装置の一態様であるテレビが備えるＣＰＵが実行する処理は、カメラから出力される画像信号がメモリに書き込まれたことを検知するステップ（Ｓ８１０）と、メモリに格納されているデータに対して予め設定された画像処理を実行し、さらに顔領域を抽出するステップ（Ｓ８２０）と、顔領域の位置情報を算出するステップ（Ｓ８３０）と、視聴者のテレビに対する視線角度を算出するステップ（Ｓ８４０）と、画質調整のための制御データをメモリから当該視線角度に応じて読み出すステップ（Ｓ８５０）と、画質調整回路に対して、読み出した制御データに基づく画質調整の命令信号を出力するステップ（Ｓ８６０）とを含む。【選択図】図８
2007212664.tif 000002
【特許請求の範囲】
【請求項１】
液晶表示装置であって、
液晶表示領域に映像を表示するディスプレイと、
前記ディスプレイに取り付けられ、被写体を撮影して画像信号を出力するカメラと、
前記画像信号に基づいて前記映像の視聴者の顔領域を抽出する抽出手段と、
前記カメラからの第１の画像信号に基づいて予め取得された視聴者の顔領域を表わす第１の特徴量を格納する第１の記憶手段とを備え、前記第１の特徴量は、前記カメラの光軸中心上において予め規定された位置における前記視聴者の撮影により取得されており、
前記ディスプレイによる映像の表示に応答して、前記映像の視聴者を撮影する指示を出力する撮影制御手段と、
前記第１の特徴量と、前記指示に応答して取得された第２の画像信号を用いて算出された第２の特徴量とに基づいて、前記視聴者が前記液晶表示装置に登録されているか否かを確認する認証手段と、
前記視聴者が前記液晶表示装置に登録されている場合に、前記第２の画像信号に基づいて、前記視聴者の特徴点を抽出する手段と、
前記特徴点に基づいて、前記視聴者の特徴量を算出する手段と、
前記特徴量に基づいて、前記視聴者の顔領域の位置を特定するための位置情報を算出する手段と、
前記第１の特徴量および前記第２の特徴量と前記位置情報とに基づいて、前記カメラの光軸中心から前記視聴者に対する方向と前記液晶表示領域の法線方向との間に形成される角度を、視線角度として算出する角度算出手段と、
前記ディスプレイに表示される映像の画質を調整するために、複数の前記視線角度の各々に応じて予め規定された各制御データを格納する第２の記憶手段と、
前記角度算出手段により算出された視線角度に対応する前記制御データに基づいて、前記ディスプレイに表示される映像の画質を調整する制御手段とを備える、液晶表示装置。
【請求項２】
液晶表示装置であって、
液晶表示領域に映像を表示する表示手段と、
被写体の撮影に基づいて生成される画像信号を取得する取得手段と、
前記画像信号に基づいて前記映像の視聴者の顔領域を抽出する抽出手段と、
前記画像信号に基づく画像における前記視聴者の顔領域の位置を特定するための位置情報を算出する位置情報算出手段と、
前記位置情報に基づいて、前記液晶表示装置において予め規定された基準位置から前記液晶表示領域の法線方向と、前記基準位置から前記視聴者に対する方向との間に形成される視線角度を算出する角度算出手段と、
前記表示手段に表示される映像の画質調整を規定するために、複数の前記視線角度の各々に応じて予め規定された各制御データを格納する記憶手段と、
前記角度算出手段により算出された視線角度に対応する前記制御データに基づいて、前記表示手段に表示される映像の画質を調整する制御手段とを備える、液晶表示装置。
【請求項３】
前記取得手段は、被写体を撮影して画像信号を出力する撮像手段を含む、請求項２に記載の液晶表示装置。
【請求項４】
前記撮像手段は、前記表示手段に取り付けられており、
前記角度算出手段は、前記撮像手段の光軸中心から前記視聴者に対する方向と前記法線方向との間に形成される角度を、前記視線角度として算出する、請求項３に記載の液晶表示装置。
【請求項５】
前記角度算出手段は、前記視線角度の垂直方向の成分と水平方向の成分とを算出する、請求項３に記載の液晶表示装置。
【請求項６】
前記表示手段による映像の表示に応答して、前記映像の視聴者を撮影する指示を出力する撮影制御手段と、
前記抽出手段により抽出された顔領域の特徴量を算出する特徴量算出手段と、
前記撮像手段からの第１の画像信号に基づいて予め取得された視聴者の顔領域を表わす第１の特徴量と、前記指示に応答して取得された第２の画像信号を用いて算出された第２の特徴量とに基づいて、前記視聴者が前記液晶表示装置に登録されているか否かを確認する認証手段とをさらに備え、
前記位置情報算出手段は、前記視聴者が前記液晶表示装置に登録されている場合に、前記第２の画像信号に基づく画像における前記位置情報を算出する、請求項３に記載の液晶表示装置。
【請求項７】
前記取得手段は、
被写体を撮影して第１の画像信号を出力する第１の撮像手段と、
前記被写体を撮影して第２の画像信号を出力する第２の撮像手段とを含み、前記第１の撮像手段および前記第２の撮像手段の前記表示手段に対する各々の位置関係は予め規定されており、
前記抽出手段は、前記第１の画像信号に基づく前記視聴者の第１の顔領域と、前記第２の画像信号に基づく前記視聴者の第２の顔領域とを抽出し、
前記位置情報算出手段は、前記第１の顔領域の中心を特定する第１の位置情報と、前記第２の顔領域の中心を特定する第２の位置情報とを算出し、
前記液晶表示装置は、予め規定された前記位置関係と、前記第１の位置情報および前記第２の位置情報とに基づいて、ステレオ計測処理を実行することにより、前記第１の撮像手段から前記視聴者までの第１の距離と、前記第２の撮像手段から前記視聴者までの第２の距離とを計算する距離計算手段をさらに備え、
前記角度算出手段は、前記第１の距離および前記第２の距離に基づいて、前記視線角度を算出する、請求項２に記載の液晶表示装置。
【請求項８】
前記抽出手段により抽出された顔領域の数を計算する計算手段をさらに備え、
前記制御手段は、前記顔領域の数が複数である場合に前記画質の調整を禁止する、請求項２に記載の液晶表示装置。
【請求項９】
前記抽出手段により抽出された顔領域の数を計算する計算手段と、
前記顔領域の面積を計算する面積計算手段とをさらに備え、
前記制御手段は、
前記顔領域の数が複数である場合に、前記面積計算手段により計算された面積が最大である顔領域を特定し、かつ、前記基準位置から前記面積が最大である顔領域に対応する前記視聴者に対する方向と、前記法線方向との間に形成される角度を前記視線角度として、前記画質を調整する、請求項２に記載の液晶表示装置。
【請求項１０】
前記抽出手段は、前記顔領域に対応するデータを蓄積するための複数の素子を含み、
前記面積計算手段は、前記顔領域に対応するデータが蓄積されている前記素子の数を計算することにより前記顔領域の面積を計算する、請求項９に記載の液晶表示装置。
【請求項１１】
前記位置情報算出手段は、
前記画像信号に基づいて、前記視聴者の特徴点を抽出する手段と、
前記特徴点に基づいて、前記視聴者の特徴量を算出する手段と、
前記特徴量に基づいて、前記位置情報を算出する手段とを含む、請求項２に記載の液晶表示装置。
【請求項１２】
前記液晶表示装置に対して予め規定された位置における視聴者を撮影することにより予め取得された、前記位置における視聴者の顔の大きさに対応する第１の特徴量を記憶する特徴量記憶手段と、
前記表示手段が映像を表示している時に、前記抽出手段により抽出された顔領域に基づいて、前記映像の視聴者の顔の大きさに対応する第２の特徴量を算出する特徴量算出手段と、
前記第１の特徴量と前記第２の特徴量とを比較することにより前記視聴者と前記液晶表示装置との距離を計算する距離計算手段とをさらに備え、
前記角度算出手段は、前記距離計算手段により計算された距離に基づいて前記視線角度を算出する、請求項２に記載の液晶表示装置。
【請求項１３】
前記表示手段は、複数の表示素子を含み、
前記制御手段は、前記距離計算手段により計算された距離と、前記角度算出手段により算出された視線角度とに基づいて、各前記表示素子の駆動を制御することにより前記画質を調整する、請求項１２に記載の液晶表示装置。
【請求項１４】
前記取得手段は、前記画像信号の入力を受け付ける信号入力手段を含む、請求項２に記載の液晶表示装置。
【発明の詳細な説明】
【技術分野】
【０００１】
本発明は、液晶表示装置に関し、より特定的には、視聴者の位置に応じて映像の表示を制御できる液晶表示装置に関する。
【背景技術】
【０００２】
テレビジョン受信装置、ＰＣ（Personal  Computer）等情報処理装置そのたの表示装置に関し、映像あるいは画像を表示するためにＬＣＤパネル（Liquid  Crystal  Display）を使用する装置が普及している。ＬＣＤパネルを使用する表示装置において、ＬＣＤパネルの表示面に対する視野角が異なる場合に、コントラスト、色調その他の画像特性が変化するという問題がある。このような性質を有するＬＣＤパネルに対して、様々な改良が行なわれている。その結果、一般的な使用環境では、従来の視野角に比べてかなり広い視野角が確保されるようになってきた。
【０００３】
たとえば、特開平１１−９５７３８号公報（特許文献１）は、利用者が表示画面を見る姿勢を変えた場合、また表示画面を見る利用者が変わった時等に、その利用者が表示画面を見る角度の違いに応じた最適な表示状態に自動調整を行なうことを可能にすることにより、利用者を限定することなく常に最適な表示状態を保つことができる表示装置の自動表示調整装置を開示している。
【０００４】
特開平８−６８２７６号公報（特許文献２）は、視聴者の背丈に関わらず、最良の状態で液晶画面を視聴できるＬＣＤ用画面調整装置を開示している。
【０００５】
特開２００３−１８６４６２号公報（特許文献３）は、ユーザの姿勢や位置に応じて常に視認性の良い画像を表示できる画像表示装置を開示している。
【０００６】
特開２０００−１３２１５２号公報（特許文献４）は、表示範囲を拡大し、観察者にとって適正な表示品位及び視角が得られ、不要な電力消費や部品の劣化を防ぎ、低い処理能力でも動画表示が可能な表示装置を開示している。
【０００７】
特表２００２−５３４００９号公報（特許文献５）は、テレビ会議に出席している参加者に対応して適切なカメラパラメータのプリセットを自動的に決定できるテレビ会議システムを開示している。
【特許文献１】特開平１１−９５７３８号公報
【特許文献２】特開平８−６８２７６号公報
【特許文献３】特開２００３−１８６４６２号公報
【特許文献４】特開２０００−１３２１５２号公報
【特許文献５】特表２００２−５３４００９号公報
【発明の開示】
【発明が解決しようとする課題】
【０００８】
しかしながら、従来よりも広い視野角が確保されたＬＣＤパネルにおいても、ガンマ特性、色の反転その他の画像表示特性の変化は皆無ではない。そのため、テレビの視聴者の位置によっては、表示される映像が当該視聴者にとって満足のいく態様で表示されない場合もあった。
【０００９】
本発明は、上述の問題点を解決するためになされたものであって、その目的は、視聴者の位置に基づく表示特性の変化が抑制される液晶表示装置を提供することである。
【課題を解決するための手段】
【００１０】
上記の課題を解決するためにこの発明のある局面に従う液晶表示装置は、液晶表示領域に映像を表示するディスプレイと、ディスプレイに取り付けられ、被写体を撮影して画像信号を出力するカメラと、画像信号に基づいて映像の視聴者の顔領域を抽出する抽出手段と、カメラからの第１の画像信号に基づいて予め取得された視聴者の顔領域を表わす第１の特徴量を格納する第１の記憶手段とを備える。第１の特徴量は、カメラの光軸中心上において予め規定された位置における視聴者の撮影により取得されている。液晶表示装置は、ディスプレイによる映像の表示に応答して、映像の視聴者を撮影する指示を出力する撮影制御手段と、第１の特徴量と、指示に応答して取得された第２の画像信号を用いて算出された第２の特徴量とに基づいて、視聴者が液晶表示装置に登録されているか否かを確認する認証手段と、視聴者が液晶表示装置に登録されている場合に、第２の画像信号に基づいて、視聴者の特徴点を抽出する手段と、特徴点に基づいて、視聴者の特徴量を算出する手段と、特徴量に基づいて、視聴者の顔領域の位置を特定するための位置情報を算出する手段と、第１の特徴量および第２の特徴量と位置情報とに基づいて、カメラの光軸中心から視聴者に対する方向と液晶表示領域の法線方向との間に形成される角度を、視線角度として算出する角度算出手段と、ディスプレイに表示される映像の画質を調整するために、複数の視線角度の各々に応じて予め規定された各制御データを格納する第２の記憶手段と、角度算出手段により算出された視線角度に対応する制御データに基づいて、ディスプレイに表示される映像の画質を調整する制御手段とを備える。
【００１１】
この発明の他の局面に従う液晶表示装置は、液晶表示領域に映像を表示する表示手段と、被写体の撮影に基づいて生成される画像信号を取得する取得手段と、画像信号に基づいて映像の視聴者の顔領域を抽出する抽出手段と、画像信号に基づく画像における視聴者の顔領域の位置を特定するための位置情報を算出する位置情報算出手段と、位置情報に基づいて、液晶表示装置において予め規定された基準位置から液晶表示領域の法線方向と、基準位置から視聴者に対する方向との間に形成される視線角度を算出する角度算出手段と、表示手段に表示される映像の画質調整を規定するために、複数の視線角度の各々に応じて予め規定された各制御データを格納する記憶手段と、角度算出手段により算出された視線角度に対応する制御データに基づいて、表示手段に表示される映像の画質を調整する制御手段とを備える。
【００１２】
好ましくは、取得手段は、被写体を撮影して画像信号を出力する撮像手段を含む。
好ましくは、撮像手段は、表示手段に取り付けられている。角度算出手段は、撮像手段の光軸中心から視聴者に対する方向と法線方向との間に形成される角度を、視線角度として算出する。
【００１３】
好ましくは、角度算出手段は、視線角度の垂直方向の成分と水平方向の成分とを算出する。
【００１４】
好ましくは、液晶表示装置は、表示手段による映像の表示に応答して、映像の視聴者を撮影する指示を出力する撮影制御手段と、抽出手段により抽出された顔領域の特徴量を算出する特徴量算出手段と、撮像手段からの第１の画像信号に基づいて予め取得された視聴者の顔領域を表わす第１の特徴量と、指示に応答して取得された第２の画像信号を用いて算出された第２の特徴量とに基づいて、視聴者が液晶表示装置に登録されているか否かを確認する認証手段とをさらに備える。位置情報算出手段は、視聴者が液晶表示装置に登録されている場合に、第２の画像信号に基づく画像における位置情報を算出する。
【００１５】
好ましくは、取得手段は、被写体を撮影して第１の画像信号を出力する第１の撮像手段と、被写体を撮影して第２の画像信号を出力する第２の撮像手段とを含む。第１の撮像手段および第２の撮像手段の表示手段に対する各々の位置関係は予め規定されている。抽出手段は、第１の画像信号に基づく視聴者の第１の顔領域と、第２の画像信号に基づく視聴者の第２の顔領域とを抽出する。位置情報算出手段は、第１の顔領域の中心を特定する第１の位置情報と、第２の顔領域の中心を特定する第２の位置情報とを算出する。液晶表示装置は、予め規定された位置関係と、第１の位置情報および第２の位置情報とに基づいて、ステレオ計測処理を実行することにより、第１の撮像手段から視聴者までの第１の距離と、第２の撮像手段から視聴者までの第２の距離とを計算する距離計算手段をさらに備える。角度算出手段は、第１の距離および第２の距離に基づいて、視線角度を算出する。
【００１６】
好ましくは、液晶表示装置は、抽出手段により抽出された顔領域の数を計算する計算手段をさらに備える。制御手段は、顔領域の数が複数である場合に画質の調整を禁止する。
【００１７】
好ましくは、液晶表示装置は、抽出手段により抽出された顔領域の数を計算する計算手段と、顔領域の面積を計算する面積計算手段とをさらに備える。制御手段は、顔領域の数が複数である場合に、面積計算手段により計算された面積が最大である顔領域を特定し、かつ、基準位置から面積が最大である顔領域に対応する視聴者に対する方向と、法線方向との間に形成される角度を視線角度として、画質を調整する。
【００１８】
好ましくは、抽出手段は、顔領域に対応するデータを蓄積するための複数の素子を含む。面積計算手段は、顔領域に対応するデータが蓄積されている素子の数を計算することにより顔領域の面積を計算する。
【００１９】
好ましくは、位置情報算出手段は、画像信号に基づいて、視聴者の特徴点を抽出する手段と、特徴点に基づいて、視聴者の特徴量を算出する手段と、特徴量に基づいて、位置情報を算出する手段とを含む。
【００２０】
好ましくは、液晶表示装置は、液晶表示装置に対して予め規定された位置における視聴者を撮影することにより予め取得された、位置における視聴者の顔の大きさに対応する第１の特徴量を記憶する特徴量記憶手段と、表示手段が映像を表示している時に、抽出手段により抽出された顔領域に基づいて、映像の視聴者の顔の大きさに対応する第２の特徴量を算出する特徴量算出手段と、第１の特徴量と第２の特徴量とを比較することにより視聴者と液晶表示装置との距離を計算する距離計算手段とをさらに備える。角度算出手段は、距離計算手段により計算された距離に基づいて視線角度を算出する。
【００２１】
好ましくは、表示手段は、複数の表示素子を含む。制御手段は、距離計算手段により計算された距離と、角度算出手段により算出された視線角度とに基づいて、各表示素子の駆動を制御することにより画質を調整する。
【００２２】
好ましくは、取得手段は、画像信号の入力を受け付ける信号入力手段を含む。
【発明の効果】
【００２３】
本発明に係る液晶表示装置によると、視聴者の位置に応じて、表示される映像の画質が適切に補正されるため、当該視聴者は、明瞭な映像を鑑賞することができる。
【発明を実施するための最良の形態】
【００２４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２５】
＜第１の実施の形態＞
図１は、本発明の第１の実施の形態に係るテレビ１００を正面から表わす図である。テレビ１００は、液晶ディスプレイ１３０と、カメラ１５０と、スピーカ１４０ａ，１４０ｂとを備える。スピーカ１４０ａ，１４０ｂは、たとえばステレオ音声の出力が可能なスピーカである。
【００２６】
図２は、テレビ１００のハードウェア構成を表わすブロック図である。テレビ１００は、映像音声信号を受信するアンテナ１０２と、アンテナ１０２に接続され、選局を指示されたチャンネルの映像音声信号を取得するためのチューナ１１４と、外部から映像音声信号の入力を受け付ける外部入力部１０４と、後述するリモコン端末から発信された信号を受信する受光部１０６と、視聴者からテレビ１００に対する指示の入力を受け付ける操作部１０８と、テレビ１００の動作を制御するＣＰＵ（Central Processing Unit）１１０と、メモリ１１２とを備える。メモリ１１２は、たとえば揮発性のメモリであるが、不揮発性のメモリであってもよい。
【００２７】
テレビ１００は、さらに、外部入力部１０４とチューナ１１４とに接続され、ＣＰＵ１１０からの信号に基づいて映像音声信号の出力先を切り換える切換回路１１６と、ＣＰＵ１１０からの信号に基づいて切換回路１１６から出力される信号を映像信号と音声信号とに分離して出力する信号処理回路１２０と、信号処理回路１２０から出力される映像信号を増幅して出力するドライバ１２８と、ドライバ１２８から出力される映像信号に基づいて映像を表示する液晶ディスプレイ１３０とを備える。
【００２８】
信号処理回路１２０は、切換回路１１６からの信号を映像信号と音声信号とに分離する分離回路１２２と、ＣＰＵ１１０から出力される画像調整指示に基づいて分離回路１２２によって出力される映像信号の画質調整を行なうための画質調整回路１２４と、ＣＰＵ１１０からの信号と画質調整回路１２４から出力される映像信号とに基づいて液晶ディスプレイ１３０に表示される映像の信号を生成するＯＳＤ回路１２６とを含む。
【００２９】
テレビ１００はさらに、分離回路１２２から出力される音声信号の入力を受け、ＣＰＵ１１０からの指示に基づいて当該音声信号を増幅して出力するアンプ１３６ａ，１３６ｂと、アンプ１３６ａ，１３６ｂからそれぞれ出力される音声信号に基づいて音声を出力するスピーカ１４０ａ，１４０ｂとを備える。また、カメラ１５０とＣＰＵ１１０との間には、カメラ１５０から出力される画像信号を格納するためのメモリ１５２が配置されている。ＣＰＵ１１０は、メモリ１５２に格納されているデータに基づいて後述する画像処理を実行する。メモリ１１２，１５２は、不揮発性のメモリである。なお、メモリ１１２，１５２は、同一のメモリとして実現されてもよい。この場合は、メモリ１１２に確保されるデータ領域と、メモリ１５２に確保されるデータ領域とが、それぞれ当該同一のメモリに確保されることになる。
【００３０】
図３を参照して、テレビ１００の使用態様について説明する。図３は、部屋１０にテレビ１００が設置されている状態を表わす図である。部屋１０には、テレビ１００と椅子１１とがそれぞれ配置されている。椅子１１には、視聴者１２が座っている。視聴者１２は、リモコン端末３００を有している。
【００３１】
ここで、本実施の形態においてテレビ１００と視聴者との位置関係を特定するために用いられる用語について定義を行なう。まず、テレビ１００の中心部を通る水平線３２０は、たとえばテレビ１００の上部から予め規定された距離３４０だけ離れた位置を通る線として規定される。距離３４０は、たとえば液晶ディスプレイ１３０の中心軸を通る線とテレビ１００の筐体の上部との間の距離に相当する。
【００３２】
次に、垂直方向の視線角度３１０は、水平線３２０と、テレビ１００と視聴者１２とを結び、かつ、液晶ディスプレイ１３０の中心軸を通る視線３３０との間の角度として規定される。この場合、視聴者１２の位置は、カメラ１５０によって取得された画像データに基づいて解析される視聴者１２の特徴部分（たとえば当該視聴者の目と目との中心部）として規定される。また、後述するように、テレビ１００が各視聴者の登録機能を有する場合には、視聴者を登録するためのデータを取得する基準の位置として、テレビ１００から予め規定された距離だけ離れた位置に椅子１１が設置され、そのような場所に設置された椅子１１における視聴者を撮影することにより、視聴者の登録処理が実行される。
【００３３】
図４を参照して、テレビ１００と視聴者との位置関係についてさらに説明する。図４は、部屋１０を上部から表わした図である。視聴者１２は、テレビ１００から予め規定された距離４４０だけ離れた位置に存在している。視聴者１２は、液晶ディスプレイ１３０の中心線４２０の線上に位置している。ここで、距離４４０は、たとえばテレビ１００の筐体の前面を通る線４１０からの距離として規定される。
【００３４】
次に、視聴者１２が座る位置を変えた場合について説明する。たとえば、視聴者４０５として示される位置においてテレビ１００を視聴する場合がある。この場合、テレビ１００と視聴者４０５との間隔は距離４４０であり、視聴者１２の場合における間隔と同じである。しかしながら、テレビ１００と視聴者４０５とを結ぶ線４５０は、視聴者１２とテレビ１００とを結ぶ線（中心線４２０）とは異なることになる。すなわち、テレビ１００と視聴者４０５とを結ぶ線４５０が規定されると、線４５０と中心線４２０との間には、垂直方向の視線角度４５２が形成されることになる。
【００３５】
また、視聴者が位置を変えて、たとえば視聴者４０４としてテレビ１００を視聴する場合、テレビ１００と視聴者４０４とを結び付ける線（すなわち視線）は、線４６０として表わされる。この場合、線４６０と中心線４２０との間に形成される水平方向の視線角度４６２は、前述の水平方向の視線角度４５２よりもさらに大きくなる。
【００３６】
さらに、テレビ１００による視聴者の認識について説明する。視聴者が視聴者１２として示される位置においてテレビ１００を視聴している場合、カメラ１５０は、テレビ１００から距離４４０だけ離れた位置における点線４３０の画像を取得する。ここで距離４４０が予めテレビ１００について定められたものであれば、テレビ１００は、その距離４４０の値とカメラ１５０の撮影により取得した画像データとに基づいて視聴者１２の顔を認識できる。この状態をたとえば認証用のデータとしてテレビ１００に格納すると、このデータを基準として中心線４２０上に存在する同一の視聴者１２を同様にして認識できる。
【００３７】
たとえば視聴者が点線４３１上の視聴者４０２である場合、点線４１０と点線４３１との間の距離４４１と、距離４４０との比率に基づく相似関係を用いることにより、視聴者４０２の顔を認識することができる。この場合、カメラ１５０により撮影された視聴者４０２の顔は、視聴者１２の顔の画像よりも上記の距離の比に応じて大きく表示されることになる。
【００３８】
一方、同一の視聴者が、基準の位置よりも遠方から視聴者４０３としてテレビ１００を視聴している場合、テレビ１００は、点線４１０と４３２との間の距離４４２と、距離４４０との比率に基づいて視聴者４０３の顔の画像を認識できる。この場合、カメラ１５０によって撮影された顔の画像は、その距離の比に応じて小さく表示されるため、視聴者１２の顔画像に対して前述の比を加味することにより、同一の視聴者を認識することができる。
【００３９】
このようにして中心線４２０に存在する視聴者の認識および視聴位置（テレビ１００から視聴者までの距離）を特定することができる。なお、上記の説明では、カメラ１５０の位置がテレビ１００の中央部に存在し、さらにテレビ１００と標準の位置における視聴者１２との距離４４０が既知である場合について説明した。
【００４０】
これに対して、たとえばカメラ１５０がテレビ１００の中心部に設置されていない場合、中心線４２０に代えて、カメラ１５０の光軸を通る線をその場合の中心線とすることにより、視聴者を同様にして認識し、テレビ１００と当該視聴者との間の距離を特定することもできる。
【００４１】
次に、視聴者がたとえば視聴者４０４としてテレビ１００を視聴している場合について説明する。カメラ１５０により撮影される視聴者４０４の画像と視聴者４０２の画像とは、各画像中心は距離４７０に相当する分ずれた状態で特定される。ここで、視聴者４０２と視聴者１２との位置関係および視聴者１２とテレビ１００との間に予め規定された距離４４０とを考慮すると、距離４２０に相当する中心軸のずれは、テレビ１００が画像データ上の中心のずれとして認識することができる。後述するように、テレビ１００のＣＰＵ１１０は、その中心軸のずれを用いて、公知の測量手法に基づく演算処理を実行し、水平方向の視線角度４６２を算出することができる。視聴者が視聴者４０５としてテレビ１００を視聴している場合における水平方向の視線角度４５２についても同様に算出される。
【００４２】
図５を参照して、本実施の形態に係るテレビ１００を実現するＣＰＵ１１０について説明する。図５は、ＣＰＵ１１０によって実現される機能の構成を表わすブロック図である。ＣＰＵ１１０は、顔領域抽出部５０２と、特徴量算出部５０４と、領域数計算部５０６と、面積計算部５０８と、撮影制御部５１０と、認証部５１２と、位置情報算出部５１４と、距離計算部５１６と、角度算出部５１８と、画質制御部５２０とを含む。各機能は、ＣＰＵ１１０が当該機能を実現するプログラムを実行することにより、ハードウェアとソフトウェアとの協働として実現される。あるいは、当該プログラムに代えて、各処理を実現する回路素子を組み合わせることにより、ハードウェアの構成として実現することもできる。
【００４３】
顔領域抽出部５０２は、カメラ１５０から出力される画像信号に基づいてテレビ１００の視聴者の顔領域を抽出する。他の局面においてテレビ１００が複数のカメラを有する場合には、顔領域抽出部５０２は、第１のカメラから出力される第１の画像信号に基づく視聴者の第１の顔領域と、第２のカメラから出力される第２の画像信号に基づく当該視聴者の第２の顔領域とを抽出する。好ましくは、顔領域抽出部５０２は、液晶ディスプレイ１３０を構成する表示素子の各々に対応して当該顔領域に対応するデータを蓄積する。
【００４４】
特徴量算出部５０４は、顔領域抽出部５０２によって抽出された顔領域の特徴量を算出する。算出される特徴量は、たとえば視聴者の顔の目の間隔、目と口の間隔、あるいはこれらの間隔の比などを含む。具体的には、特徴量算出部５０４は、画像信号から特徴点を抽出し、各特徴点に基づいて視聴者の顔画像を特定し、さらに顔の各部位を特定する。特徴量算出部５０４は、各部位を特定する情報に基づいて、上記の各特徴量を算出する。ここで、各部位を特定する情報は、たとえば、画像処理のためにメモリに割り当てられた領域における位置データである。
【００４５】
領域数計算部５０６は、顔領域抽出部５０２によって抽出された顔領域の数を計算する。たとえば１人の視聴者がテレビ１００を視聴している場合、領域数計算部５０６は、顔領域の数「１」を算出する。この計算は、たとえば特徴量算出部５０４によって算出された特徴量の個数に基づいて行なわれる。たとえば目の間隔を規定する特徴量が複数算出された場合には、領域数計算部５０６は、その特徴量の数だけの領域が存在すると判断し、その数を領域数として出力する。
【００４６】
面積計算部５０８は、顔領域抽出部５０２によって抽出された顔領域のデータに基づいて当該顔領域の面積を計算する。ここで顔領域の面積とは、たとえばテレビ１００の視聴者を認識するために使用される撮像素子の数として表わされる。具体的には、面積計算部５０８は、顔領域に対応するデータが蓄積されている当該素子の数を計算することにより顔領域の面積を計算する。
【００４７】
撮影制御部５１０は、液晶ディスプレイ１３０による映像の表示に応答してテレビ１００の視聴者を撮影する指示をカメラ１５０に対して出力する。また撮影制御部５１０は、受光部１０６により受信された撮影指令あるいは操作部１０８を介して入力された撮影指令に基づいて、テレビ１００の視聴者の撮影指示をカメラ１５０に対して出力する。
【００４８】
好ましくは、特徴量算出部５０４は、液晶ディスプレイ１３０が映像を表示しているときに、表示されている映像の視聴者の顔の大きさに対応する特徴量を、顔領域抽出部５０２によって抽出された顔領域に基づいて算出する。
【００４９】
認証部５１２は、カメラ１５０からの第１の画像信号に基づいて表わす取得された視聴者の顔領域を表わす第１の特徴量と、ＣＰＵ１１０による指示に基づいて取得された第２の画像信号を用いて算出された第２の特徴量とを比較することにより、当該視聴者がテレビ１００に予め登録されている視聴者であるか否かを確認する。ここで、第１の特徴量は、たとえばメモリ１１２に格納されている。
【００５０】
位置情報算出部５１４は、カメラ１５０から出力される画像信号に基づく画像における当該視聴者の顔領域の中心を表わすデータを算出する。このデータは、たとえば画像処理のために確保されるメモリ領域における座標情報として取得される。顔領域の中心を表わすデータとして、たとえば視聴者の目元を結ぶ線の中点の座標値、顔領域の頭部と顎部とを結ぶ線の中点等が使用可能である。
【００５１】
好ましくは、位置情報算出部５１４は、当該視聴者がテレビ１００に予め登録されている場合に、上記第２の画像信号に基づく画像における当該視聴者の顔領域の中心を表わすデータを算出する。
【００５２】
また、他の局面において、テレビ１００が第１のカメラおよび第２のカメラを含む構成である場合には、位置情報算出部５１４は、第１のカメラから出力される第１の画像信号に基づく当該視聴者の第１の顔領域と、第２のカメラから出力される第２の画像信号に基づく当該視聴者の第２の顔領域とについて、各領域の中心を特定する第１および第２の位置データをそれぞれ算出する。
【００５３】
距離計算部５１６は、算出された各位置データに基づいて、公知の測量手法に従う処理を実行することにより、第１のカメラから視聴者までの距離と、第２のカメラから視聴者までの距離とを計算する。具体的には、各カメラとテレビとの位置関係、すなわち、テレビの中心から各カメラの中心までの距離は、それぞれ既知である。カメラの光軸がテレビ１００の中心軸に対して平行である場合、撮影により得られる画像データによれば、上記距離に応じた中心のずれが算出される。
【００５４】
また、視聴者がテレビ１００からの基準位置に対して遠方に存在している場合には、テレビから基準位置までの距離と、画像データを用いて認識された視聴者の顔と予め登録されている視聴者の顔との比率とを用いて、テレビから視聴者までの距離がそれぞれ算出される。なお、第１のカメラおよび第２のカメラの撮影により取得された画像データを用いた被写体までの距離の算出は、公知のステレオ計測処理によって実現される。したがって、ステレオ計測処理の詳細は、ここでは繰り返さない。
【００５５】
角度算出部５１８は、位置情報算出部５１４によって算出された当該中心を表わすデータに基づいて、テレビ１００に対して予め規定された基準位置から、テレビ１００の法線方向と当該基準位置から当該視聴者に対する方向との間に形成される視線角度を算出する。好ましくは、角度算出部５１８は、カメラ１５０の光軸中心から当該視聴者に対する方向と当該法線方向との間に形成される角度を、視線角度として算出する。好ましくは、角度算出部５１８は、視線角度の垂直方向の成分と水平方向の成分とをそれぞれ算出する。
【００５６】
また他の局面において、角度算出部５１８は、テレビ１００が第１のカメラおよび第２のカメラを有する場合に、それぞれのカメラを中心とする視線角度を算出する。すなわち、角度算出部５１８は、距離計算部５１６によって計算された上記第１の距離および第２の距離に基づいて、テレビ１００の中心軸からの視線角度を算出する。
【００５７】
画質制御部５２０は、角度算出部５１８によって算出された視線角度に対応する制御データに基づいて、液晶ディスプレイ１３０に表示される映像の画質を調整する。ここで制御データとは、液晶ディスプレイ１３０における映像の表示を制御するために予め規定されたパラメータをいう。このパラメータは、後述するように、たとえばコントラスト値、明度、色調あるいはガンマ特性その他の画質を調整するためのデータである。
【００５８】
また他の局面において、画質制御部５２０は、抽出された顔領域の数が複数である場合に、面積計算部５０８によって計算された面積が最大である顔領域を特定する。画質制御部５２０は、さらに上記基準位置から当該面積が最大である顔領域に対応する視聴者に対する方向と当該法線方向との間に形成される角度を視線角度として、液晶ディスプレイ１３０に表示される映像の画質を調整する。
【００５９】
さらに、画質制御部５２０は、液晶ディスプレイ１３０の画素単位で画質を調整してもよい。たとえば、１平方インチの領域を構成する画素が１グループにまとめられる。各グループと視聴者との距離が算出される。この距離は、たとえば、液晶ディスプレ１３０の表示領域の中央に位置する画素のグループ（すなわち、中心軸が通るグループ）から視聴者までの距離（以下、基準距離）を基準に算出できる。
【００６０】
すなわち、基準距離は、距離が既知である標準の位置における視聴者を予め撮影することにより取得された画像と、視聴時に改めて撮影することにより取得された画像との大きさに基づいて算出される。中央に位置する画素のグループと画質の制御の対象となる画素のグループとの距離は、同様に容易に算出される。あるいは、液晶ディスプレイ１３０のサイズに応じて予め算出された距離が保持されていてもよい。
【００６１】
これにより、各グループから視聴者までの距離が算出される。画質を調整するための上記パラメータと、液晶ディスプレイ１３０から視聴者までの想定される距離とは、相互に関連付けられ、メモリ１１２にされる。実際に距離が算出された場合に、パラメータが特定される。そのパラメータに基づいて、当該距離に対応する画素のグループの画質が調整される。このようにすると、液晶ディスプレイ１３０の表示領域の位置に応じた画質の補正が可能になる。したがって、液晶ディスプレイ１３０の大きさが数十インチであるようなテレビでは、特に液晶ディスプレ１３０の両端に位置する画素の画質が補正されるため、より鮮明な映像が表示される。
【００６２】
図６を参照して、テレビ１００のデータ構造について説明する。図６は、メモリ１１２におけるデータの格納の一態様を概念的に表わす図である。メモリ１１２は、テーブル６００を含む。テーブル６００は、液晶ディスプレイ１３０による映像の表示を制御するための制御データを有する。
【００６３】
具体的には、テーブル６００は、各制御データを格納する領域６１０〜６５０を含む。視線角度は、領域６１０に格納されている。図６に示される例では、制御の区分となる視線角度は、たとえば±１０°ごとに規定されている。コントラスト値は、領域６２０に格納されている。明度は領域６３０に格納されている。色調を制御するためのデータは、領域６４０に格納されている。ガンマ特性を調整するためのデータは、領域６５０に格納されている。領域６１０から６５０に格納されているデータは、それぞれ相互に関連付けられている。したがって、領域６１０に示される視線角度が特定されると、当該視線角度に対応付けられる制御データ（領域６２０〜６５０）は、それぞれ特定される。
【００６４】
たとえば、算出された視線角度が１０°である場合、コントラスト値は基準値の１．１倍に設定される。明度は、基準値の１．１倍に設定される。色調も基準値の１．１倍に設定される。ガンマ特性も基準値の１．１倍に設定される。ここで、画質を調整するために基準値に対して掛け合わされる係数は、図６に示されるものに限られない。また、図６に示される例では、各制御データごとの基準値は、どの視聴者に対しても同一の基準値が用いられる構成となっているが、このような構成に限られない。すなわち視聴者ごとに異なる値が基準値としてそれぞれ用いられてもよい。
【００６５】
また、視線角度における±の符号は、テレビ１００の中心軸を基準に、左右の領域における位置を特定するものである。したがって、中心軸の右側の位置に対して符号＋を設定してもよいし、その逆でもよい。また、テレビ１００が水平方向の視線角度と垂直方向の視線角度とによってそれぞれ画質調整を実現できる場合、テーブル６００と同様の内容を有する他のテーブルが設けられる。すなわち、水平方向の視線角度と垂直方向の視線角度とのそれぞれについて予め設定された制御データが、メモリ１１２の中に準備されることになる。
【００６６】
図７および図８を参照して、テレビ１００の制御構造について説明する。図７および図８は、それぞれテレビ１００を実現するＣＰＵ１１０が実行する処理の手順を表わすフローチャートである。
【００６７】
図７において、ステップＳ７１０にて、テレビ１００のＣＰＵ１１０は、テレビ１００に対して予め規定された場所に存在する視聴者の撮影指示を出力する。ＣＰＵ１１０がカメラ１５０に対してこのような指示を出力すると、カメラ１５０は予め設定された撮影モードに従って予め定められた撮影動作を実行する。この場合、たとえば図３に示されるような部屋１０の照明が十分でない場合に備えて、視聴者１２を明瞭に撮像するために発光指示を発光部（図示しない）に出力するような構成をさらに備えていてもよい。
【００６８】
カメラ１５０が撮影処理を実行すると、出力される画像信号はメモリ１５２に格納される。ＣＰＵ１１０は、そのデータに対して予め規定された画像処理を実行する。画像処理は、たとえば２値化処理、濃淡処理、エッジ強調処理等である。
【００６９】
ステップＳ７２０にて、ＣＰＵ１１０は、上記の画像処理を実行する。ステップＳ７３０にて、ＣＰＵ１１０は、予め設定された処理に従って、メモリ１５２に格納されている視聴者の画像データから特徴量を算出する。
【００７０】
ステップＳ７４０にて、ＣＰＵ１１０は、算出した特徴量と視聴者を識別するためのデータとを関連付けて、メモリ１１２に確保された領域に格納する。視聴者を特定するためのデータは、たとえば受光部１０６によるリモコン信号から発信された文字情報を含む信号を受信することにより、あるいは操作部１０８に対する文字の入力によってテレビ１００に取得される。
【００７１】
図８を参照して、ステップＳ８１０にて、ＣＰＵ１１０は、カメラ１５０から出力される画像信号がメモリ１５２に書き込まれたことを検知する。ステップＳ８２０にて、ＣＰＵ１１０は、メモリ１５２に格納されているデータに対して予め設定された画像処理を実行し、さらに顔領域を抽出する。
【００７２】
ステップＳ８３０にて、ＣＰＵ１１０は、顔領域の位置情報を算出する。ステップＳ８４０にて、ＣＰＵ１１０は、当該位置情報と、カメラ１５０と液晶ディスプレイ１３０との位置関係を特定する予め準備されたデータとに基づいて、当該視聴者のテレビ１００に対する視線角度を算出する。
【００７３】
ステップＳ８５０にて、ＣＰＵ１１０は、画質調整のための制御データをメモリ１１２から当該視線角度に応じて読み出す。ステップＳ８６０にて、ＣＰＵ１１０は、画質調整回路１２４に対して、読み出した制御データに基づく画質調整の命令信号を出力する。画質調整回路１２４は、その信号に基づいて規定された画質調整処理を実行する。調整後の信号が画質調整回路１２４からＯＳＤ回路１２６に送出されると、液晶ディスプレイ１３０は、画質調整後の映像を表示する。
【００７４】
以上のようにして、本実施の形態に係るテレビ１００は、視聴者の位置を検出し、当該視聴者とテレビ１００との間の位置関係を特定する情報として視線角度を算出する。テレビ１００は、その視線角度に応じて予め規定されている制御データに基づいて液晶ディスプレイ１３０に表示される映像の画質を調整する。これにより、当該視聴者は、液晶ディスプレイ１３０に対して真正面の位置から視聴していない場合であっても、視聴している位置に応じて補正された画質で映像を鑑賞することができる。
【００７５】
また、テレビ１００は、視線角度として、水平方向の視線角度と垂直方向の視線角度とを算出することもできる。この場合、画質の補正は、各視線角度に応じて予め規定された制御データに基づいて行なわれる。これにより、視聴者がテレビ１００のディスプレイに対して水平面よりも下位に位置している場合（たとえば寝そべって視聴している場合）であっても、テレビ１００は、視聴者の位置に応じた画質の補正を行なうことができる。この場合も、視聴者は、明瞭な映像を鑑賞することができる。
【００７６】
＜第２の実施の形態＞
以下、本発明の第２の実施の形態について説明する。本実施の形態に係るテレビ１００は、複数の視聴者の顔を認識した場合には画像調整処理を禁止する機能を有する点で、前述の実施の形態と異なる。この機能は、ＣＰＵ１１０によって実現される。本実施の形態に係るテレビのハードウェア構成は、図２に示されるテレビ１００のハードウェア構成と同一である。それらの機能も上記ＣＰＵ１１０によって新たに実現される機能を除き同じである。したがって、同じ機能についての説明は、繰り返さない。
【００７７】
図９は、本実施の形態に係るテレビを実現するＣＰＵ１１０が実行する処理の手順を表わすフローチャートである。ステップＳ９１０にて、ＣＰＵ１１０は、顔領域抽出部５０２によって抽出された顔領域のデータに基づいて複数の顔領域が抽出されたか否かを判断する。ＣＰＵ１１０が、複数の顔領域は抽出されたと判断すると（ステップＳ９１０にてＹＥＳ）、処理はステップＳ９２０に移される。そうでない場合には（ステップＳ９１０にてＮＯ）、処理はステップＳ９３０に移される。
【００７８】
ステップＳ９２０にて、ＣＰＵ１１０は、画質調整回路１２４に対して液晶ディスプレイ１３０に表示される映像の画質の補正を禁止する指令を出力する。この指令が出力されると、画質調整回路１２４に入力される映像信号は、何らの処理も加えられることなくそのままＯＳＤ回路１２６に出力される。ステップＳ９３０にて、ＣＰＵ１１０は、抽出された１つの顔領域の位置情報を算出する。その後視線角度が算出され（ステップＳ８４０）、当該視線角度に応じた画質調整が実行される（ステップＳ８５０，Ｓ８６０）。
【００７９】
以上のようにして、他の局面におけるテレビ１００は、複数の視聴者が検出された場合に画質の補正を行わない。これにより、いずれかの視聴者の位置に応じた補正を行なうことにより、他の視聴者にとって鑑賞に堪えないような映像が表示されることを防止できる。
【００８０】
＜第３の実施の形態＞
以下、本発明の第３の実施の形態について説明する。本実施の形態に係るテレビは、複数の視聴者を検出した場合に、液晶ディスプレイ１３０の中心軸に最も近い視聴者に応じた画質調整機能を有する点で、前述の各実施の形態と異なる。このような機能は、図２に示されるＣＰＵ１１０によって実現される。その他のハードウェア構成は、第１の実施の形態に係るテレビ１００が備える構成と同一である。したがって、それらについての説明は繰り返さない。
【００８１】
図１０は、本発明の第３の実施の形態に係るテレビ１００を実現するＣＰＵ１１０が実行する処理の手順を表わすフローチャートである。
【００８２】
ステップＳ１１１０にて、ＣＰＵ１１０は、顔領域抽出部５０２によって抽出された顔領域のデータに基づいて、複数の顔領域が抽出されたか否かを判断する。ＣＰＵ１１０が、複数の顔領域が抽出されたと判断すると（ステップＳ１１１０にてＹＥＳ）、処理はステップＳ１０２０に移される。そうでない場合には（ステップＳ１０１０にてＮＯ）、処理はステップＳ１０３０に移される。
【００８３】
ステップＳ１０２０にて、ＣＰＵ１１０は、顔領域の画像データに基づいて液晶ディスプレイ１３０の中心軸に最も近い視聴者を特定する。すなわち、ＣＰＵ１１０は、それぞれ認識された視聴者の顔の中心部（たとえば目と目の中央部）と画像処理のために確保される領域における中央部との間の距離を算出し、当該距離の最小値を与える視聴者を上記中心軸に最も近い視聴者として特定する。
【００８４】
ステップＳ１０３０にて、ＣＰＵ１１０は、当該視聴者の顔領域の位置情報を算出する。その後、ＣＰＵ１１０は視線角度を算出し（ステップＳ８４０）、前述と同様の画像調整処理を実行する（ステップＳ８５０，Ｓ８６０）。
【００８５】
以上のようにして、本実施の形態に係るテレビは、複数の視聴者による視聴を検出した場合には、テレビに対して中央部寄りの視聴者に応じた画質の調整を行なう。このようにすると、極端な画質の補正が防止されるため、中央よりの視聴者以外の視聴者にとっても、十分視聴できる程度の画質の補正が実現される。これにより、いずれの視聴者も、映像の視聴を楽しむことができる。
【００８６】
＜第４の実施の形態＞
以下、本発明の第４の実施の形態について説明する。本実施の形態に係るテレビは、視線角度に加えて、ディスプレイからの距離を考慮した画質調整機能を有する点で、前述の各実施の形態に係るテレビと異なる。
【００８７】
すなわち、液晶テレビは、その表示部の大きさに応じて、たとえば十数インチのサイズから数十インチのサイズまで多岐にわたる。この場合、ディスプレイのサイズが小さい液晶テレビでは、たとえばテレビの左端と右端との間の距離はそれほど相違しないため、当該距離の相違による視聴の影響は無視し得る。しかしながら、数十インチのサイズを有する液晶ディスプレイによれば、その右端と左端との差もそれに応じて大きくなり、ひいてはテレビと当該視聴者との間の各距離も大きく異なる。そのため、たとえば視聴者が左端に存在しており、その位置からテレビを視聴している場合、テレビ１００のディスプレイの左端の映像は明瞭に視認できても右端の映像については明瞭に視聴できなくなる場合もあり得る。そこで、このようなテレビのサイズの違いを考慮するために、視聴者とテレビとの距離も併せて考慮することが好ましい。
【００８８】
そこで、図１１を参照して、本実施の形態に係るテレビと視聴者との位置関係について説明する。図１１（Ａ）は、液晶ディスプレイの大きさが小さく（たとえば十数インチ）、テレビのサイズによる表示の影響が無視し得る場合の位置関係を表わす図である。図１１（Ｂ）は、テレビ１１２０の液晶ディスプレイのサイズが大きく（たとえば、３２インチ、４２インチ等）、テレビ１１２０の左端と右端とのそれぞれの位置から視聴者までの距離の相違による影響が無視できない場合である。本実施の形態に係るテレビは、たとえば図１１（Ｂ）に示されるようなテレビ１１２０に対して適用できる。
【００８９】
図１１（Ａ）を参照して、テレビ１１１０と視聴者１１００との間の距離に関し、テレビ１１１０の右端から視聴者１１００までの距離は、距離１１３２である。一方、テレビ１１１０の左端から視聴者１１００までの距離は、距離１１３０である。ここで一般にテレビ１１１０と視聴者１１００との間の距離（これまでのＣＲＴ（Cathod Ray Tube）形式のテレビであれば３メートルから５メートル）であるところ、図１１（Ａ）に示されるようなテレビでは、距離１１３０と距離１１３２との相違は無視し得るものである。
【００９０】
これに対して、図１１（Ｂ）を参照して、テレビ１１２０の左端と視聴者１１００の距離１１４０とテレビ１１２０の右端から視聴者１１００までの距離１１４２とは、テレビ１１２０のサイズ１１２２に応じて相当の隔たりが生じ得る。そのため前述のようにして視線角度に応じた画質調整を行なっても、なおテレビ１１２２の右側に表示される映像を明瞭に視認できない場合がある。
【００９１】
そこで、このような距離の相違を考慮した画質調整をするために、本実施の形態に係るテレビは、距離に応じた各制御データを予め有することが望ましい。
【００９２】
次に、図１２を参照して、本実施の形態に係るテレビのデータ構造について説明する。図１２は、本実施の形態に係るテレビが備えるメモリ１１２における制御データの格納の一態様を表わす図である。メモリ１１２は、テレビからの距離に応じて規定された制御データを有するテーブル１２００を含む。テーブル１２００は、各制御データを格納するための領域１２１０から１２４０を含む。視線角度は、領域１２１０に格納されている。テレビ１００から視聴者までの距離を表わすデータは、領域１２２０に格納されている。コントラスト値は領域１２３０に格納されている。明度は、領域１２４０に格納されている。領域１２１０，１２３０，１２４０に格納されているデータは、たとえば図６に示されるように、領域６１０，６２０，６３０に格納されているデータに対応する。したがって、ここではそれらについての説明は繰り返さない。
【００９３】
また領域１２２０に関し、標準距離を基準とした距離を表わすデータがそれぞれ格納されている。ここで標準距離とは、テレビのサイズに応じて予め規定された距離をいう。この距離は、たとえば図４における点線４３０として示されるように、視聴者１２をテレビ１００に登録するために予め規定された位置と当該テレビとの距離に相当する。このような距離を基準として、その距離に対して離れているかあるいは近いかをそれぞれ予め設定された区分ごとに分けて、それぞれについてコントラスト値（領域１２３０）、あるいは明度（領域１２４０）として規定することができる。このようにすると、視線角度（領域１２１０）に加えて距離（領域１２２０）を考慮した画質調整が可能になる。
【００９４】
そこで、図１３を参照して、本実施の形態に係るテレビの制御構造について説明する。図１３は、本実施の形態に係るテレビを実現するＣＰＵ１１０が実行する処理の手順を表わすフローチャートである。
【００９５】
ステップＳ１３１０にて、ＣＰＵ１１０は、テレビが備える液晶ディスプレイの中央部および端部（右端部および左端部）から視聴者までの各距離を算出する。この距離の算出は、たとえば図４に示されるような位置関係に基づいて公知の測量手法に基づいて行なわれる。
【００９６】
ステップＳ１３２０にて、ＣＰＵ１１０は、テーブル１２００を参照して、画質調整のための制御データを算出した視線角度と各距離とに基づいて読み出す。その後ＣＰＵ１１０が当該制御データに基づく画質調整の命令信号を出力すると（ステップＳ８６０）、画質調整回路１２４は、その信号に基づいてコントラスト値あるいは明度を補正するための処理を実行し、ＯＳＤ回路１２６に処理後の映像信号を出力する。その結果、液晶ディスプレイ１３０は、視線角度と距離とに基づいて補正が行なわれた映像を表示する。
【００９７】
以上のようにして、本発明の第４の実施の形態に係るテレビは、視聴角度に加えて、視聴者までの距離を画質の調整に反映させる。そのため、視聴者と液晶ディスプレイ１３０との距離が、通常の視聴距離を大きく上回る場合であっても、視聴者は、当該距離に応じて補正された映像の視聴を楽しむことができる。
【００９８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００９９】
本発明は、たとえば、液晶テレビ、液晶モニタその他の液晶表示装置に適用可能である。
【図面の簡単な説明】
【０１００】
【図１】本発明の第１の実施の形態に係るテレビ１００を正面から表わす図である。
【図２】テレビ１００のハードウェア構成を表わすブロック図である。
【図３】部屋１０にテレビ１００が設置されている状態を表わす図である。
【図４】部屋１０を上部から表わした図である。
【図５】ＣＰＵ１１０によって実現される機能の構成を表わすブロック図である。
【図６】メモリ１１２におけるデータの格納の一態様を概念的に表わす図である。
【図７】テレビ１００を実現するＣＰＵ１１０が実行する処理の手順を表わすフローチャート（その１）である。
【図８】テレビ１００を実現するＣＰＵ１１０が実行する処理の手順を表わすフローチャート（その２）である。
【図９】本発明の第２の実施の形態に係るテレビを実現するＣＰＵ１１０が実行する処理の手順を表わすフローチャートである。
【図１０】本発明の第３の実施の形態に係るテレビ１００を実現するＣＰＵ１１０が実行する処理の手順を表わすフローチャートである。
【図１１】本発明の第４の実施の形態に係るテレビと視聴者との位置関係について説明するための図である。
【図１２】本発明の第４の実施の形態に係るテレビが備えるメモリ１１２における制御データの格納の一態様を表わす図である。
【図１３】本発明の第４の実施の形態に係るテレビを実現するＣＰＵ１１０が実行する処理の手順を表わすフローチャートである。
【符号の説明】
【０１０１】
１０  部屋、１１  椅子、１２，４０２，４０３，４０４，４０５  視聴者、１００  テレビ、１０２  アンテナ、３００  リモコン端末、３１０  視線角度、３２０  水平線、３３０  視線。
【図１】
2007212664.tif 000003
【図２】
2007212664.tif 000004
【図３】
2007212664.tif 000005
【図４】
2007212664.tif 000006
【図５】
2007212664.tif 000007
【図６】
2007212664.tif 000008
【図７】
2007212664.tif 000009
【図８】
2007212664.tif 000010
【図９】
2007212664.tif 000011
【図１０】
2007212664.tif 000012
【図１１】
2007212664.tif 000013
【図１２】
2007212664.tif 000014
【図１３】
2007212664.tif 000015